(57)【要約】【課題】脚杆を床面等に固定することなく、床面に載置するだけで、妄りに移動することがなく、しかも、構造が簡単で、容易にレイアウトを変更しうるようにした妄動防止家具を提供する。【解決手段】対をなし、かつ下方が拡開する脚杆２、３を備える椅子１において、対をなす脚杆２、３の下部同士を、錘部材４をもって着脱自在に連結する。【選択図】  図１
2009178503.tif 000002
【特許請求の範囲】
【請求項１】
対をなし、かつ下方が拡開する脚杆を備える家具において、前記対をなす脚杆の下部同士を、錘部材をもって連結したことを特徴とする妄動防止家具。
【請求項２】
錘部材を、長さ方向に伸縮自在の機能を持たせて長さ調節可能としたことを特徴とする請求項１記載の妄動防止家具。
【請求項３】
錘部材を、両端部にそれぞれ上下方向を向く嵌孔を有するものとし、各嵌孔を、それぞれ一方の脚杆の下部へ嵌合することにより、対をなす脚杆の下部同士を連結したことを特徴とする請求項１または２記載の妄動防止家具。
【請求項４】
錘部材を、両端部にそれぞれ上下方向を向く嵌孔を有する支持杆に重錘を止着したものとしたことを特徴とする請求項１〜３のいずれかに記載の妄動防止家具。
【請求項５】
重錘を、支持杆の長手方向に対して、移動自在としたことを特徴とする請求項４記載の妄動防止家具。
【請求項６】
重錘を、支持杆に対して着脱自在としたことを特徴とする請求項４または５記載の妄動防止家具。
【請求項７】
重錘を、軽重可変のものとしたことを特徴とする請求項６記載の妄動防止家具。
【請求項８】
嵌孔を、側方に開口する凹入孔としたことを特徴とする請求項３、またはそれに従属する４〜７のいずれかに記載の妄動防止家具。
【請求項９】
錘部材の適所に指掛孔を設けたことを特徴とする請求項１〜８のいずれかに記載の妄動防止家具。
【請求項１０】
錘部材を、対をなす脚杆に取付けた際に、その少なくとも一部の下面が床面に当接するようにした請求項１〜９のいずれかに記載の妄動防止家具。
【請求項１１】
錘部材の下面を、床面との接触摩擦を大としうる材質からなるものとしたことを特徴とする請求項１０記載の妄動防止家具。
【請求項１２】
錘部材の下面を、床面との接触摩擦を大としうる凹凸面としたことを特徴とする請求項１０または１１記載の妄動防止家具。
【請求項１３】
錘部材の下面に、床面との吸着力を発生しうる吸盤状凹凸部を設けたことを特徴とする請求項１０〜１２のいずれかに記載の妄動防止家具。
【請求項１４】
椅子である請求項１〜１３のいずれかに記載の妄動防止家具。
【請求項１５】
椅子は、側方連結される連結椅子であり、その最外側のものに適用してなる請求項１４記載の妄動防止家具。
【請求項１６】
テーブルである請求項１〜１３のいずれかに記載の妄動防止家具。
【発明の詳細な説明】
【技術分野】
【０００１】
本発明は、脚杆を床面等に載置したとき、人の移動や他物との衝突等によっても妄りに移動することがないようにした、椅子やテーブル等の妄動防止家具に関する。
【背景技術】
【０００２】
劇場や多目的ホール等において使用される脚杆を備える椅子やテーブル等の家具は、配置が妄りに変動しないようにするため、脚杆を床面にボルト等をもって固定して使用することが多い(例えば特許文献１参照)。
【特許文献１】特開２００７−２２２２６７号公報
【発明の開示】
【発明が解決しようとする課題】
【０００３】
しかし、このような劇場等においては、使用目的に応じて、椅子等のレイアウトを変更する必要が生じることがあり、そのような場合に、上記ボルトを外したり、レイアウト変更後に、再度ボルトをもって、各脚杆を新たな位置に固定しなければならず、その作業が煩雑でかつ多くの時間を費やすという問題がある。
【０００４】
この問題を解消するため、椅子等の脚杆を床面に固定しないで、椅子等を単独で、または複数のものを互いに側方に連結して、単に載置するだけとすることが考えられるが、そうすると、人の移動や他物との衝突等によって、椅子等が妄りに移動し、前もって定めたレイアウトが崩れてしまうおそれがある。
また、椅子等が妄りに移動しないようにするため、椅子等の重量を大とすることが考えられるが、それによると、椅子等の移動や運搬が面倒になる。
【０００５】
本発明は、従来の技術が有する上記のような問題点に鑑み、脚杆を床面等に固定することなく、床面に載置するだけで、妄りに移動することがなく、しかも、構造が簡単で、容易にレイアウトを変更しうるようにした妄動防止家具を提供することを目的としている。
【課題を解決するための手段】
【０００６】
本発明によると、上記課題は次のようにして解決される。
(１)対をなし、かつ下方が拡開する脚杆を備える家具において、前記対をなす脚杆の下部同士を、錘部材をもって連結する。
【０００７】
(２)上記(１)項において、錘部材を、長さ方向に伸縮自在の機能を持たせて長さ調節可能とする。
【０００８】
(３)上記(１)または(２)項のいずれかにおいて、錘部材を、両端部にそれぞれ上下方向を向く嵌孔を有するものとし、各嵌孔を、それぞれ一方の脚杆の下部へ嵌合することにより、対をなす脚杆の下部同士を連結する。
【０００９】
(４)上記(１)〜(３)項のいずれかにおいて、錘部材を、両端部にそれぞれ上下方向を向く嵌孔を有する支持杆に重錘を止着したものとする。
【００１０】
(５)上記(４)項において、重錘を、支持杆の長手方向に対して移動自在とする。
【００１１】
(６)上記(４)または(５)項において、重錘を、支持杆に対して着脱自在とする。
【００１２】
(７)上記(６)項において、重錘を、軽重可変のものとする。
【００１３】
(８)上記(３)項、またはそれに従属する(４)〜(７)項のいずれかにおいて、嵌孔を、側方に開口する凹入孔とする。
【００１４】
(９)上記(１)〜(８)項のいずれかにおいて、錘部材の適所に指掛孔を設ける。
【００１５】
(１０)上記(１)〜(９)項のいずれかにおいて、錘部材を、対をなす脚杆に取付けた際に、その少なくとも一部の下面が床面に当接する。
【００１６】
(１１)上記(１０)において、錘部材の下面を、床面との接触摩擦を大としうる材質とする。
【００１７】
(１２)上記(１０)または(１１)項のいずれかにおいて、錘部材の下面を、床面との接触摩擦を大としうる凹凸面とする。
【００１８】
(１３)上記(１０)〜(１２)項のいずれかにおいて、錘部材の下面に、床面との吸着力を発生しうる吸盤状凹凸部を設ける。
【００１９】
(１４)上記(１)〜(１３)項のいずれかにおいて、椅子とする。
【００２０】
(１５)上記(１４)項において、椅子は、側方連結される連結椅子であり、その最外側のものに適用する。
【００２１】
(１６)上記(１)〜(１３)項のいずれかにおいて、テーブルとする。
【発明の効果】
【００２２】
本発明によると、次のような効果を奏することができる。
請求項１記載の発明によると、対をなし、かつ下方が拡開する脚杆を備える家具において、前記対をなす脚杆の下部同士を、錘部材をもって着脱自在に連結してあるので、脚杆を床面等に固定することなく、床面に載置するするだけで、錘部材の重力により、家具が妄りに移動したり、がたついたりするのを防止することができ、しかも、構造が簡単であり、安価に製造することができる。
また、錘部材を必要なときは取り付け、不要なときは取り外すことができ、錘部材を取り外したときは、家具を軽力で移動することができ、容易にレイアウトを変更することができる。
【００２３】
請求項２記載の発明によると、錘部材を、長さ方向に伸縮自在としてあるので、錘部材を下方が拡開する脚杆に取り付けるときに、両脚杆間に拡開寸法のばらつきがあっても、また、拡開寸法の仕様の異なる椅子の場合にも適用することができる。よって、備えておく錘部材の種類を最小限とすることができ、錘部材の管理が楽となる。
【００２４】
請求項３記載の発明によると、錘部材を、両端部にそれぞれ上下方向を向く嵌孔を有するものとし、各嵌孔を、それぞれ一方の脚杆の下部へ嵌合することにより、対をなす脚杆の下部同士を連結するようにしてあるので、錘部材の脚杆への取り付け取り外しを、一切工具等を使用することなく、簡単に行うことができる。
すなわち、錘部材の嵌孔を下方が拡開する脚杆の上部から嵌合するだけで、その後は、錘部材が、自重で脚杆の下方へ移動することによって、錘部材は、両脚杆の下部に、楔作用により、緊密に結合される。
逆に、脚杆に固定された錘部材を外す場合は、錘部材を上方に持ち上げるだけで、簡単に脚杆より外すことができる。
【００２５】
請求項４記載の発明によると、錘部材を、両端部にそれぞれ上下方向を向く嵌孔を有する支持杆に重錘を止着したものとしてあるので、支持杆と重錘を一体構造として錘部材を形成することができ、錘部材を容易に製造することができる。
【００２６】
請求項５記載の発明によると、重錘を、支持杆の長手方向に対して移動自在としてあるので、家具の重心の位置が前側の場合は、重錘を支持杆の長手方向に対して後側に、逆に、家具の重心の位置が後側の場合は、重錘を支持杆の長手方向に対して前側に移動できるので、錘部材を取り付けたときの家具の重量バランスがとれ、家具を床面に載置して使用するときに、家具の前後方向の傾倒をも、確実に防止することができる。
【００２７】
請求項６記載の発明によると、重錘を、支持杆に対して着脱自在としてあるので、重錘あるいは支持杆のいずれかが使用できなくなった場合でも、全てを交換する必要がなく、その一方だけを交換すればよいので、メンテナンス性が向上する。
【００２８】
請求項７記載の発明によると、重錘を、軽重可変のものとしてあるので、家具の大小や重量に応じて、重錘を重いものにあるいは軽いものに取り替えでき、最適な重量バランスを図ることができる。
【００２９】
請求項８記載の発明によると、嵌孔を、側方に開口する凹入孔としてあるので、錘部材を、両脚杆の側方より、容易に着脱することができる。
【００３０】
請求項９記載の発明によると、錘部材の適所に指掛孔を設けてあるので、両脚杆への錘部材の着脱作業や、持ち運び時に、この指掛孔に指を掛けて、錘部材を容易に移動することができ、作業性が向上する。
【００３１】
請求項１０記載の発明によると、錘部材を、対をなす脚杆に取付けた際に、その少なくとも一部の下面が床面に当接するようにしてあるので、家具の床面への接触面積が増大して、家具の安定性が増すとともに、錘部材の取り付け位置が脚杆の最下部に位置するので、重心の位置を最も床面に近づけることができ、さらに、家具の妄動防止効果を高めることができる。
【００３２】
請求項１１記載の発明によると、錘部材の下面を、床面との接触摩擦を大としうる材質からなるものとしてあるので、家具の妄動防止効果を高めることができる。
【００３３】
請求項１２記載の発明によると、錘部材の下面を、床面との接触摩擦を大としうる凹凸面としてあるので、家具の妄動防止効果を高めることができる。
また、錘部材の下面に接触摩擦を大としうる材質を貼り付ける必要がないので、部品の数を増やすことなく、家具の妄動防止効果を高めることができる。
【００３４】
請求項１３記載の発明によると、錘部材の下面に、床面との吸着力を発生しうる吸盤状凹凸部を設けてあるので、この吸盤状凹凸部が床面に吸着することにより、より高い家具の妄動防止効果を得ることができる。
【００３５】
請求項１４記載の発明によると、家具を椅子としてあるので、椅子が、着座者の動作や、多少の外力によっては、妄りに移動することがなく、劇場や多目的ホール等において使用する椅子として好適である。
【００３６】
請求項１５記載の発明によると、家具を、側方連結される連結椅子の最外側の椅子としてあるので、劇場や多目的ホール等において、側方連結した連結椅子を多列に並べ、その最外側の椅子の前後の脚杆に、錘部材を装着し、各列の連結椅子が妄動しないようにすることができ、劇場や多目的ホール等において使用する連結椅子として好適である。
【００３７】
請求項１６記載の発明によると、家具をテーブルとしてあるので、床面に載置したテーブルの位置ずれや、いずれかの脚杆の浮き上がり、テーブル全体のがたつきや、傾倒等を確実に防止することができる。
【発明を実施するための最良な形態】
【００３８】
以下、本発明の実施形態を、添付図面を参照して説明する。
図１は、本発明を適用した第１の実施形態である椅子を最外側として、３個の椅子を側方に連結した、劇場や多目的ホール等において使用される連結椅子を示す。
この椅子１は、対をなし、かつ下方が前後方向に拡開する２対の脚杆２、３を備えており、外側の対をなす前後の脚杆２、３の下部同士を、前後方向を向く錘部材４をもって着脱自在に連結したものである。
【００３９】
図２は、錘部材４を上方から見た平面図、図３は、同じく内側方より見た側面図、図４は、同じく内側の斜め上方より見た斜視図である。
この錘部材４は、前後方向を向く板状の支持杆５の内側面中央部に、側面視台形とした重錘６を、前後１対の皿ねじ７、７をもって止着し、かつ支持杆５の前後の端部を、前後の脚杆２、３の傾斜角度と同一の傾斜角度をもって下方に向かって拡開する折曲げ線Ｌに沿って内側に平面視コ字状(またはＵ字状)に折曲することにより、両端部に互いに内方に開口する上下方向を向く嵌孔８、９を形成したものよりなっている。なお、嵌孔８、９を、側方に開口する凹入孔としてもよい。
【００４０】
支持杆５の前後方向の長さは、前後の嵌孔８、９が、前後の脚杆２、３の下部に係合するようなものとしてある。
【００４１】
各嵌孔８、９の内面には、フエルトまたはゴム等からなる緩衝材(図示略)を貼着し、錘部材４の脚杆２、３への装着時または離脱時における当接音の発生の防止、および脚杆２、３の表面の摩耗や傷付きの防止を図るようにするのが好ましい。
【００４２】
支持杆５および重錘６の上部中央には、前後方向に長く、かつ左右方向に貫通する指掛孔１０が設けられている。この指掛孔１０は、支持杆５の外側面または重錘６の内側面に開口する有底孔としてもよい。
【００４３】
錘部材４は、前後の脚杆２、３の上下方向の中間部の外側面に、支持杆５の内側面における重錘６より外側の部分を押し当て、次いで、その状態で下降させるか、または自重により落下させるだけで、前後の嵌孔８、９が前後の脚杆２、３の下部に簡単に係合し、前後の脚杆２、３の下部同士は、錘部材４をもって簡単に連結される。
【００４４】
また、指掛孔１０に指を挿入して、前後の脚杆２、３の下部同士間に架設された錘部材４を、一旦上方に持ち上げた後、外側方に移動させることにより、錘部材４を、前後の脚杆２、３から簡単に外すことができる。
【００４５】
図５〜図７は、本発明の第２の実施形態における錘部材を示す。
この錘部材１１は、前端部を、第１の実施形態における支持杆５の前端部と同様に折曲することにより嵌孔８を形成した前後方向を向く板状の前片１２と、後端部を、第１の実施形態における支持杆５の後端部と同様に折曲することにより嵌孔９を形成した前後方向を向く板状の後片１３とにより支持杆１４を形成し、この前片１２と後片１３とを左右方向に重合し、かつそれらに設けた前後方向に長い長孔１５、１６と、その内側方に配設した重錘１７に設けた挿通孔１８、１８とに挿通した左右方向を向く前後１対のボルト１９の先端部に、ナット２０を螺合して締め付けることにより、支持杆１４と重錘１７とを一体的に固着しうるようにしてある。
【００４６】
重錘１７は、複数枚の板状の単位重錘１７ａを左右方向に重合して、上記ボルト１９とナット２０とにより締着することにより一体化したもので、この単位重錘１７ａの枚数を変えることにより、重さを変えることができる。
それによって、家具の大小や重量に応じて、重錘１７を重いものにあるいは軽いものに取り替えでき、最適な重量バランスを図ることができる。
【００４７】
また、上記ボルト１９とナット２０とを緩めて、支持杆１４における前片１２と後片１３とを互いに前後方向にずらし、再度ボルト１９とナット２０とを締め付け直すことにより、支持杆１４の前後方向の長さを調節することができる。
それによって、錘部材１１を下方が拡開する脚杆２、３(図１参照)に取り付けるときに、両脚杆２、３間に拡開寸法のばらつきがあっても、また、拡開寸法の仕様の異なる椅子の場合にも適用することができる。よって、備えておく錘部材１１の種類を最小限とすることができ、錘部材１１の管理が楽となる。
【００４８】
さらに、支持杆１４における前片１２と後片１３とにおける長孔１５、１６の重合部分の範囲内において、前後のボルト１９、１９の前後位置をずらせることにより、重錘１７を、支持杆１４の長手方向に対して移動させることができる。
それによって、椅子１等の家具の重心の位置が前側の場合は、重錘１７を支持杆１４の長手方向に対して後側に、逆に、家具の重心の位置が後側の場合は、重錘１７を支持杆１４の長手方向に対して前側に移動できるので、錘部材１１を取り付けたときの家具の重量バランスがとれ、家具を床面に載置して使用するときに、家具の前後方向の傾倒をも、確実に防止することができる。
【００４９】
第２の実施形態においては、支持杆１４における前片１２に設けた指掛孔１０ａと、後片１３に設けた指掛孔１０ｂとの前後方向の長さを、重錘１７の各単位重錘１７ａに設けた指掛孔１０の前後方向の長さより大としてあり、それによって、支持杆１４における前片１２と後片１３とを前後方向にずらしても、錘部材１１全体としての指掛孔１０、１０ａ、１０ｂの前後長が短くならないようにしてある。
【００５０】
図８は、本発明の第３の実施形態における錘部材を示す。
この錘部材４は、重錘６の下面に、床面２１との接触摩擦を大としうる材質として、ゴムまたは軟質合成樹脂材料等の弾性体２２を固着し、椅子１における前後の脚杆２、３に錘部材４を装着したとき、弾性体２２の下面が床面２１に当接し、この弾性体２２の下面と床面２１との接触摩擦により、錘部材４、ひいては椅子１の妄動を防止しうるとともに、床面２１が傷つくのを防止しうるようにしてある。
【００５１】
弾性体２２の下面は、床面２１との接触摩擦を大としうる凹凸面２２ａとしてあり、これによって、錘部材４および椅子１の妄動防止効果を高めるようにしてある。
なお、弾性体２２を設ける代わりに、重錘６自体を、床面２１に当接するまで下方に延長し、その下端面を、床面２１との接触摩擦を大としうる凹凸面として実施してもよい。
【００５２】
錘部材４におけるその他の構成は、第１の実施形態における錘部材４と同一であり、それらについては、第１の実施形態におけるのと同一の符号をもって図示するに止め、詳細な説明は省略する(次の第４の実施形態においても同一とする)。
【００５３】
図９は、本発明の第４の実施形態における錘部材を示す。
この錘部材４は、重錘６下面に、床面２１との吸着力を発生しうる吸盤状凹凸部２３を設け、この吸盤状凹凸部２３が床面２１に吸着することにより、より高い錘部材４および椅子１の妄動防止効果を得ることができるようにしてある。
【００５４】
本発明は、上記実施形態のみに限定されるものではなく、特許請求の範囲を逸脱することなく、幾多の変形した態様での実施が可能である。
例えば、上記支持杆５と重錘６とを、金属または合成樹脂等により、一体成形して、錘部材４を形成してもよい。
【００５５】
また、本発明を、上記椅子１における下方が前後方向に拡開する２対の脚杆２、３と同様の４個の脚杆をもって天板(図示略)を支持するようにしたテーブル(図示略)にも、前後の脚杆間に、上記と同様の錘部材４、１１を装着することにより、適用することができる。
【図面の簡単な説明】
【００５６】
【図１】本発明を適用した第１の実施形態である椅子を最外側として、３個の椅子を側方に連結した連結椅子の斜視図である。
【図２】第１の実施形態における錘部材の平面図である。
【図３】同じく内側方より見た側面図である。
【図４】同じく内側の斜め上方より見た斜視図である。
【図５】本発明の第２の実施形態における錘部材の平面図であって、(ａ)は、支持杆を最も短くしたときの状態を、また(ｂ)は、支持杆を最も長くしたときの状態を示す。
【図６】図５(ａ)の錘部材を右側方より見た側面図である。
【図７】図６のVII−VII線に沿う横断平面図である。
【図８】本発明の第３の実施形態における錘部材の一部切欠側面図である。
【図９】本発明の第４の実施形態における錘部材の一部切欠側面図である。
【符号の説明】
【００５７】
１    椅子
２、３  脚杆
4     錘部材
５    支持杆
６    重錘
７    皿ねじ
８、９  嵌孔
１０、１０ａ、１０ｂ  指掛孔
１１  錘部材
１２  前片
１３  後片
１４  支持杆
１５、１６  長孔
１７  重錘
１７ａ単位重錘
１８  挿通孔
１９  ボルト
２０  ナット
２１  床面
２２  弾性体
２２ａ凹凸面
２３  吸盤状凹凸部
Ｌ    折曲げ線
【図１】
2009178503.tif 000003
【図２】
2009178503.tif 000004
【図３】
2009178503.tif 000005
【図４】
2009178503.tif 000006
【図５】
2009178503.tif 000007
【図６】
2009178503.tif 000008
【図７】
2009178503.tif 000009
【図８】
2009178503.tif 000010
【図９】
2009178503.tif 000011